(57)【要約】【課題】  小型の撮像装置に多彩な撮影機能を拡張付加し得るクレイドルを得る。【解決手段】  載置したデジタルスチルカメラ２０の上方からカメラストッパー３１を被せるようにしてデジタルスチルカメラ２０にクレイドル３０をぐらつきなく固定するとともに、カメラストッパー３１の所定箇所に設けた開口を活用して撮影機能を拡張し、かつ底面に設けたネジ穴で三脚に固定することで安定した姿勢で長時間の撮影を行うことができるようにした。【選択図】        図７
2006058687.tif 000002
【特許請求の範囲】
【請求項１】
略直方体の形状をし、第１の主面に撮像レンズを有し、前記第１の主面の対面にある第２の主面に画像モニタを有し、前記第１の主面と前記第２の主面の上面に撮像操作子を有し、底面に電気的接続端子を備えるように構成した撮像装置の撮像装置用クレイドルにおいて、
前記撮像装置の底面より大きい底部を有する凹部と、該凹部の内に配設された前記電気的接続端子と係合するカメラ接続端子を上側に備え、カメラストッパーの固定穴を前記上側の前記凹部の外に備えるとともに、三脚固定用ネジを底面に備え、
前記固定穴によって、前記凹部に載置された前記撮像装置を上方から着脱自在に固定できるように前記カメラストッパーを設けた
ことを特徴とする撮像装置用クレイドル。
【請求項２】
請求項１に記載の撮像装置用クレイドルにおいて、
前記カメラストッパーを、
レンズアダプター部を備えるとともに、前記クレイドルに固定された状態で前記撮像装置を着脱自在とするように構成した
ことを特徴とする撮像装置用クレイドル。
【請求項３】
請求項１に記載の撮像装置用クレイドルにおいて、
前記クレイドルにアクセサリーシューを備えた
ことを特徴とする撮像装置用クレイドル。
【発明の詳細な説明】
【技術分野】
【０００１】
本発明は、小型のデジタルスチルカメラなどの撮像装置に適宜装着して外部機器への画像転送や充電の用に供する撮像装置用クレイドルに関する。
【背景技術】
【０００２】
小型のデジタルスチルカメラは、銀塩フィルム用コンパクトカメラより小さいにもかかわらず、多くの撮影画像を保存することができ、かつ簡単に必要とする画像だけを残しておくことができるため一般の消費者に急速に普及しつつある。
そして、小電力化、記録媒体の小型化、専用の光学系・バッテリの採用などにより、従来はコンパクトカメラ程度の大きさであったものが、ワイシャツのポケットに収まる小ささでより高画質であることを目指して日々改良が進められている状況にある。
このような小型のデジタルスチルカメラでは、その筐体内の収容スペースが限られることから撮影の際にのみ必要な構成とされる。
【０００３】
一方、このような小型のデジタルスチルカメラなどの電子機器では、デスクトップ型のコンピュータなどの外部機器への接続に、電子機器が装着される台状のクレイドルが用いられるものがある。このクレイドルには、電子機器と電気的に接続するためのコネクタと、外部機器との接続に用いられるコネクタとが設けられており、電子機器と外部機器との接続を容易にすることができる。これにより、電子機器本体のコネクタを省略することができるため、電子機器を小型化することもできるという利点をもたらすものとなっている。
また、クレイドルにＡＣ電源アダプタを接続してクレイドルを介して電子機器に電源供給を行い、電子機器内のバッテリに充電を行うものもある。
【０００４】
従来のクレイドルとしては、例えば特許文献１に開示されているものが知られている。この特許文献１に開示されている電子機器システムには、電子機器と、この電子機器の外部機器への接続を介在するドッキングステーション(クレイドル)とからなる電子機器システムの改良に関し、ドッキングステーション接続時の電子機器の状態表示の視認性を向上させるとともに、充電操作ミスが発生しないようにするものが記載されている。
【特許文献１】特開２００２−２３２７５０号公報（第２頁，図１）
【発明の開示】
【発明が解決しようとする課題】
【０００５】
しかしながら、特許文献１に開示されている電子機器システムにおけるドッキングステーション（クレイドル）は、外部機器との接続用のＵＳＢ（Universal Serial Bus）端子、電源入力端子、ビデオ出力端子、及びこれらが一体に集合された接続端子と、デジタルカメラ(撮像装置)の電源のオン／オフを操作する電源ボタンと状態表示用発光部とが設けられる。そして、電子機器とドッキングステーションとは、後者に設けられた載置用の凹部に前者が落とし込まれ、前者の底部に設けられた接続コネクタと後者の凹部に設けられた接続端子とが係合して位置決めするように構成されている。
このように、従来ドッキングステーション（クレイドル）は室内で机上に設置したままとして用いられるもので、用途が限られていた。
【０００６】
本発明はかかる点に鑑み、撮像装置の機能を向上させ、便利に使用することができる撮像装置用クレイドルを提案するものである。
【課題を解決するための手段】
【０００７】
上記課題を解決するため、本発明撮像装置用クレイドルは、略直方体の形状をし、第１の主面に撮像レンズを有し、第１の主面の対面にある第２の主面に画像モニタを有し、第１の主面と第２の主面の上面に撮像操作子を有し、底面に電気的接続端子を備えるように構成した撮像装置の撮像装置用クレイドルにおいて、撮像装置の底面より大きい底部を有する凹部と、この凹部の内に配設された電気的接続端子と係合するカメラ接続端子を上側に備え、カメラストッパーの固定穴を上側の凹部の外に備えるとともに、三脚固定用ネジを底面に備え、固定穴によって、凹部に載置された撮像装置を上方から着脱自在に固定できるようにカメラストッパーを設けたものである。
【０００８】
このように構成した本発明撮像装置用クレイドルによれば、撮像装置の電気的接続端子とクレイドル凹部に設けられたカメラ接続端子とが係合された状態で、カメラストッパーを用いて撮像装置をクレイドルに確実に固定することができ、さらに撮像装置がクレイドルに固定された状態で三脚に取付け、安定した姿勢で撮影を行うことができる。
【０００９】
また本発明は、上記記載の撮像装置用クレイドルにおいて、カメラストッパーを、レンズアダプター部を備えるとともに、クレイドルに固定された状態で撮像装置を着脱自在とするように構成するとともに、例えばクレイドルにアクセサリーシューを備えたものである。
【００１０】
このように構成した本発明撮像装置用クレイドルによれば、例えば、カメラストッパーのレンズアダプター部に望遠系のコンバージョンレンズを装着するとともに、クレイドルのアクセサリーシューにフラッシュや望遠マイクロフォンなどを取り付けて三脚に固定し、三脚に一体とされた望遠系のコンバージョンレンズ付きの撮像装置で舞台から離れたところから望遠撮影することができる。また、クレイドルから望遠撮影のセッティング状態はそのままにして撮像装置だけを外し、手持ちによるスナップ撮影を行い、その後再度クレイドルに装着して先のセッティング状態で望遠撮影を続行するということが容易に実施できる。
【発明の効果】
【００１１】
本発明によれば、クレイドルとカメラストッパーに機器を追加で取付け撮像装置単体ではできない多彩な撮影機能を付加させ、便利に使用することができる撮像装置用クレイドルとすることができる。
【発明を実施するための最良の形態】
【００１２】
以下、本発明の撮像装置用クレイドルを実施するための最良の形態の例を、図１〜図７を参照して説明する。
ここで図１は本例のクレイドルを示し、図１Ａは斜視図、図１Ｂは背面斜視図である。また、図２はクレイドルへのデジタルスチルカメラ（撮像装置）の挿抜の、図２Ａは装着のとき、図２Ｂは取り出しのときの説明図である。図３及び図４は本例のクレイドルに装着される撮像装置の一例のデジタルスチルカメラの斜視図であり、図３は斜視図、図４は背面斜視図である。図５はデジタルスチルカメラの底のバッテリ／メモリカバーの操作説明図で、図６はデジタルスチルカメラの撮影における説明図である。図７はクレイドルへのデジタルスチルカメラの固定の手順を示す説明図である。
【００１３】
図１Ａ及びＢにおいて３０は、本例の撮像装置用クレイドルを示し、図２Ａ及びＢにおいて、２０はこの撮像装置用クレイドル３０に装着される撮像装置であるデジタルスチルカメラを示すものである。
先ず、本例の撮像装置用クレイドル３０に装着されるデジタルスチルカメラ２０を、図３〜図６を参照して説明する。
【００１４】
本例のデジタルスチルカメラ２０は、例えば大きさが幅９０ｍｍ，高さ６０ｍｍ，奥行（厚さ）１８ｍｍで、奥行／高さ＜１／３と小型で薄い形状に形成されたものであり、図３及び図４に示すように、平板状で略直方体の筐体の、第１の主面となる前面２０-1と第２の主面となる背面２０-2とを連接する側面の四隅を円筒面状に面取りして連続した面としたあと、この側面の全周にわたって頂部を設けたものである。
すなわち、四隅が面取りされた直方体の側面において、先ず図３に示す上面の側２０-3に、背面２０-2により近くなるように面取りのための線２０ｃ-1を設け、前面２０-1と背面２０-2とを連接する図４に示す底面の側２０-5に、前面２０-1により近くなるように面取りのための直線２０ｃ-3を設ける。  
そして、この上面の側２０-3に設定された直線２０ｃ-1と底面２０-5に設定された２０ｃ-3の両端を結び側面を通る最短の線を設定する。このとき、側面に設定される線は、四隅の円筒面で連綴される曲線が楕円の一部となり、側面の平坦部ではこの面を斜めに分割する直線２０ｃ-2，２０ｃ-4となる（図３及び図４参照）。
【００１５】
それから、図３及び図４に示すように、この連綴された直線２０ｃ-1，２０ｃ-2，２０ｃ-3，２０ｃ-4及び四隅の曲線を頂部として、この頂部に対して所定角度の傾斜をもつように、直線２０ｃ-1〜-4の前面２０-1の側に斜面２０ｄと背面２０-2の側に斜面２０ｅを形成する。なお、以下では、この四隅が面取りされた直方体の側面を一回りし、この連綴された直線２０ｃ-1，２０ｃ-2，２０ｃ-3，２０ｃ-4及び四隅の曲線による閉曲線を「稜線２０ｃ」という。
【００１６】
この結果、図３に示すように、筐体の最大高さを与えるため稜線２０ｃが本例のデジタルスチルカメラ２０の幅と高さの最大外形寸法を与えるものとなる。また、図３及び図４に示すように、撮像装置の上面の側２０-3で前面２０-1の側に幅広の斜面が形成され、さらにこの斜面に連続して両側面２０-4（図３），２０-6（図４）の側で略斜めに、底面の側２０-5に近づくに従い幅が狭くなる略逆三角形の斜面２０ｄが連設される。またこのとき、図３及び図４に示すように、デジタルスチルカメラ２０の側面２０-4，２０-6の背面２０-2の側に、底面の側２０-5に近づくに従い幅が広くなる略三角形の斜面２０ｅ（図４）が上面の側２０-3の斜面２０ｅに連設される。
なお、デジタルスチルカメラ２０の筐体は、図３及び図４に示す外形を稜線２０ｃで２分割して２部品とした形状に板状の金属がプレス成形されて作製される。
【００１７】
そして、図３に示す筐体の前面に、図示しないレンズバリア（保護板）が組み込まれた（撮像）レンズ２４が正面右上に配され、その脇にフラッシュ２２とセルフタイマーランプ（ＡＦイルミネータと兼用）２３が設けられる。
また、上面の側２０-3には撮像操作子であるシャッターボタン３６とＰＯＷＥＲボタン３７を一まとめとした撮像操作部４９などを設ける。
【００１８】
さらに、上面の側２０-3にはデジタルスチルカメラ２０の図３に示す左の側面に撮影のモード切替えスイッチ２７と、図示しないリストストラップなどを装着するストラップ取付け部３２を設けている。
なお、本例のデジタルスチルカメラ２０に内蔵される光学系は、図示しないが、プリズムを用いて被写体の光学像を直角下方に曲げて撮像素子（ＣＣＤ）で結像させるようにし、デジタルスチルカメラ２０自体の厚みが小さくなるようにしている。
【００１９】
デジタルスチルカメラ２０の背面には、図４に示すように、液晶などを使用した画像モニタ２５とズーム（広角／望遠）ボタン２６、４方向矢印キーと中央の決定キーからなるコントロールボタン２８、画像のサイズ切替え／削除ボタン２９などが設けられている。
なお、３０は画面表示／ＬＣＤバックライトボタンであり、３１はアクセスランプであり、３３はスピーカーを示している。
【００２０】
そして、デジタルスチルカメラ２０の底部には、図４に示すように、ケーブル付きプラグ４２（図５Ｂ参照）が装着されるマルチ接続端子３８と、メモリ挿入口２０ａとバッテリ挿入口２０ｂ（図５Ａ〜Ｃ参照）を開閉自在に覆うバッテリ／メモリカバー３９が設けられている。
このバッテリ／メモリカバー３９は、図５Ａに示すように、通常は閉じておき、撮影時に必要に応じ、先ず図の矢印Ａ，Ｂの順に上方にスライドしてロックを外した後、手前に回動して開くことができる。そして、図５Ｂに示すように、露呈したメモリ挿入口２０ａとバッテリ挿入口２０ｂにメモリカード４０あるいはバッテリ４１を挿入する。それから、図５Ｃに示すように、図の矢印Ｃ，Ｄの順に手前から奥の方に回動してから下方にスライドしてロックして閉じることができる。
【００２１】
ここで使用されるメモリカード４０は、スティック状で不揮発性のメモリ素子が内蔵されたものでデジタルスチルカメラ２０に着脱自在に装着されるものである。また、バッテリ４１は、リチウムイオン２次電池などを小型化して、薄板状の略直方体形状としたものである。
このメモリカード４０の交換、挿入は、撮影中にメモリ内の画像ファイルが一杯になったときに行われ、バッテリ４１の交換、挿入は、撮影中に電池切れになったときなどに行われる。
【００２２】
このデジタルスチルカメラ２０では、メモリカード４０とバッテリ４１を装着したあと、先ず、図１に示す上面の側２０-3に配設されているＰＯＷＥＲボタン３７を指先で押下しＯＮとし、図示しないレンズバリアを開放状態にするとともに電気的に撮影できる状態とする。
そして、図３に示すモード切替えスイッチ２７で所望の撮影モードとしてから、デジタルスチルカメラ２０を図６に示すように保持し、背面２０-2の画像モニタ２５（図４参照）で被写体の撮影画像を確認してシャッターボタン３６を押下し、撮影画像データをデジタルスチルカメラ２０に装着されているメモリカード４０のメモリ素子に所定の画像サイズで記録保存する。
また、撮影した複数の画像は、コントロールボタン２８で再生して確認することができ、失敗したものは画像のサイズ切替え／削除ボタン２９で削除することができる。
【００２３】
次に、このデジタルスチルカメラ２０が装着されるクレイドル３０を図１及び図２，図７を参照して説明する。
【００２４】
クレイドル３０は、プラスチック成形などにより形成されるものであり、図１Ａに示すように、デジタルスチルカメラ２０の下部がすっぽり入り収まるように(図２Ｂ参照)、デジタルスチルカメラ２０の底面２０-5（図４参照）より少し大きい凹部３０-1を上部に設け、この凹部３０-1の内側にデジタルスチルカメラ２０の底面２０-5に設けられているマルチ接続端子３８と係合して電気的に接続されるカメラ接続端子３２を設ける。
また、クレイドル３０の背面には、図１Ｂに示すように、テレビ受像機のビデオ入力端子に接続するためのＡ／Ｖ ＯＵＴ端子３３、パーソナルコンピュータなど接続するためのＵＳＢ端子３４、ＤＣプラグを介してＡＣ電源アダプタと接続されるＤＣ ＩＮ端子３５が設けられる。また、底面に図示しない三脚固定用のネジ穴を設け、さらに、クレイドル３０の上部で背面側に、図１Ｂに示すように、後述するカメラストッパー３１を装着するための２つの略矩形穴を設ける。
【００２５】
室内で机上に設置したときのクレイドル３０は、図２Ａ示すように、その上部の凹部３０-1にデジタルスチルカメラ２０の背面２０-2の画像モニタ２５（図４参照）を正面として向けて装着し、デジタルスチルカメラ２０底面２０-5のマルチ接続端子３８をクレイドル３０のカメラ接続端子３２に接続させた状態で使用される。
そして、ＵＳＢ端子３４を介してケーブル接続したパーソナルコンピュータに、撮影した画像データを転送してトリミングや画像の修正処理などを行ったり、ＤＣ ＩＮ端子３５に接続されたＤＣプラグ４２（図５Ｂ参照）を介してＡＣ電源アダプタによりデジタルスチルカメラ２０内蔵のバッテリ４１（図５Ｂ参照）への充電が行われる。
なお、クレイドル３０からのデジタルスチルカメラ２０の取外しは、図２Ｂに示すように、クレイドル３０を把持しながらデジタルスチルカメラ２０を上方に持ち上げ、マルチ接続端子３８とカメラ接続端子３２との係合を解除する。
【００２６】
クレイドル３０は、図７Ａ及びＢに示すように、カメラストッパー３１を用いてより便利に使用することができる。カメラストッパー３１は、図７Ａに示すように、略逆Ｊの字形状で、この逆Ｊの字の曲り部３１ｄでデジタルスチルカメラ２０の上部を挟持し、下端部に設けられた２つのフック３１ａ，３１ａがクレイドル３０の矩形穴３０-3，３０-3に挿入係合することによりクレイドル３０ががたなく装着される。
また、カメラストッパー３１には、クレイドル３０にデジタルスチルカメラ２０とともに装着されたとき、フラッシュ２２を露呈するように横長の孔３１ｂと、その下にセルフタイマーランプ２３を露呈するように丸孔３１ｃが設けられる。
なお、クレイドル３０へのカメラストッパー３１の装着は、図７Ａに示すように、カメラストッパー３１下端部の２つのフック３１ａ，３１ａをクレイドル３０の２つの略矩形穴３０-3，３０-3に押し込むこと行い、取外しは、図７Ｂに示すように、指で２つのフック３１ａ，３１ａの上の滑り止め部を挟んで力を加えてフックを内側に撓ませ、この状態でカメラストッパー３１を上方に引き上げて行う。
【００２７】
このように構成したクレイドル３０によれば、デジタルスチルカメラ２０とパーソナルコンピュータなどの外部機器との接続やデジタルスチルカメラ２０内蔵のバッテリ４１への充電のための接続を机上で行う通常の使用だけでなく、クレイドル３０にカメラストッパー３１を介してデジタルスチルカメラ２０をがたなく固定し、この状態でクレイドル３０底面のネジ穴３６を用いて三脚に固定して、安定した設置状態で撮影を行うことができ、特に、動画撮影機能を有しているデジタルスチルカメラ２０においては手ぶれのおそれがないので、安定した画像を得ることができる。
【００２８】
次に、本例の撮像装置用クレイドルを実施するための最良の形態のほかの例を図８〜図１０を参照して説明する。本例の撮像装置用クレイドルは、図１例のクレイドル３０と比べ、カメラストッパーの形態が異なり、アクセサリーシューが設けられている点が異なっている。
図８はクレイドルをカメラストッパー、外付けフラッシュ、デジタルスチルカメラとともに示した分解斜視図である。図９はクレイドルにカメラストッパー、外付けフラッシュ、デジタルスチルカメラが組み込まれた状態の、図９Ａは正面図、図９Ｂは平面図、図９Ｃは側面図である。図１０は図９例のデジタルカメラにコンバージョンレンズを装着し三脚に固定した斜視図である。
【００２９】
図８において、５０はクレイドルを示し、このクレイドル５０にカメラストッパー５１、外付けフラッシュ５５及びデジタルスチルカメラ２０が組み込まれる。
クレイドル５０は、略長方形をなすその上面に、アクセサリーシュー５３を設けるとともに、デジタルスチルカメラ２０の下部が装着されカメラ接続端子５２が設けられる細長い凹部５０-1と、カメラストッパー５１を固定するための２つの略矩形穴５０-3，５０-3と２つのネジ挿通穴５０-4，５０-4が形成される。また、底面に図示しない三脚固定用のネジ穴を設ける。
なお、クレイドル５０にも図示しないが、図１例のクレイドルと同様Ａ／Ｖ ＯＵＴ端子、ＵＳＢ端子、ＤＣ ＩＮ端子が設けられる。
【００３０】
カメラストッパー５１は、デジタルスチルカメラ２０がクレイドル５０に装着されたとき、撮像レンズ２４の前面となる位置にレンズアダプター部５１ｂが形成され、上部にはバネが内蔵された蝶番により回動自在にＬ字形状部品５１ｃが設けられる。また、カメラストッパー５１の下部には、２つのフック５１ａ，５１ａと２つのネジ穴が設けられる。
【００３１】
このように構成された図８例のクレイドル５０は、先ず、２つの略矩形穴５０-3，５０-3にカメラストッパー５１のフック５１ａ，５１ａが押し入れられてから、クレイドル５０の底面側から挿入されたネジで固定される。  このとき、カメラストッパー５１が、載置されたデジタルスチルカメラ２０を上方から跨ぐように装着されるので、デジタルスチルカメラ２０がクレイドル５０に対してぐらつくことなく固定することができる。
次に、カメラストッパー５１上部のＬ字形状部品５１ｃをバネの付勢力に抗して回動させ開いた状態（図８参照）でデジタルスチルカメラ２０を装着し、またフラッシュ５５をアクセサリーシュー５３にセットする。これにより、図９に示すように、クレイドル５０にデジタルスチルカメラ２０とフラッシュ５５が組み込まれた状態とすることができる。
すなわち、平面図９Ａ及び正面図９Ｂに示すように、撮像レンズ２４に対してフラッシュ５５が図の右側に配され、カメラストッパー５１のレンズアダプター部５１ｂが正面に配される。また、側面図９Ｃに示すように、カメラストッパー５１がクレイドル５０の固定されている状態で、Ｌ字形状部品５１ｃを回動させてデジタルスチルカメラ２０を取り外すことができる。
【００３２】
このようにクレイドル５０に組み込まれた状態で、例えば２点鎖線で図９に示す広角系または望遠系のコンバージョンレンズ５４を取付けるとともに、図１０に示すように、クレイドル５０の底面に設けられている三脚用ネジ穴を用いて三脚に固定し、撮影することができる。
ここで、望遠系のコンバージョンレンズ（テレコンバージョンレンズ）５４を取付ける場合、屋内でのやや暗い舞台上の発表会などの撮影において、フラッシュ５５とテレコンバージョンレンズ５４を装着したレンズアダプター部５１ｂとデジタルスチルカメラ２０とが組み込まれたクレイドル５０を三脚に固定し、舞台上の演技者を照明しつつ、デジタルスチルカメラ２０自体のズーム機能により被写体をより大きく撮影することができる。
また、レンズの設定状態はそのままにして、デジタルスチルカメラ２０のみを単体で取り外し、舞台裏などにおけるスナップ撮影を行い、再度クレイドル５０に装着して先の撮影の設定のままで舞台上の演技の撮影を容易に再開することができる。
【００３３】
同様に、広角系のコンバージョンレンズ（ワイドコンバージョンレンズ）を用いてより広い視野角の撮影を行うことができる。さらに、望遠マイクロフォンをアクセサリーシュー５３に取り付けるなどしてもよく、本例のクレイドル５０を用いることにより、デジタルスチルカメラ２０内蔵のバッテリを充電しながら、電池の消耗を気にすることなく長時間の本格的な撮影を行うことができるようになる。
【００３４】
このように構成された図８例の撮像装置用クレイドル５０によれば、本来のクレイドル５０としての機能のほかに、別部品としたカメラストッパー５１を上から被せるようにしてデジタルスチルカメラ２０が組み込まれるため、カメラストッパー５１とデジタルスチルカメラ２０とがぐらつきなく一体化されるだけでなくカメラストッパー５１の回動部により取付け状態を変えることなくデジタルスチルカメラ２０の着脱を行うことができる。そして、このカメラストッパー５１のレンズアダプター部にコンバージョンレンズ５４を取り付けるとともに、クレイドル５０のアクセサリーシュー５３にフラッシュ５５などを追加装着して三脚に固定することにより、元のデジタルスチルカメラ２０の機能を大幅に拡張し、かつ安定した状態による撮影を実現することができる。
【００３５】
なお、図８例のクレイドルは、アクセサリーシューとして1箇所設けた例で説明したが、これに限らず複数設けてもよく、これにより更なる機能拡張を図ることができる。
【００３６】
また、本例のクレイドルに装着する撮像装置として、メモリカード４０を用いたもので説明したが、メモリカード４０の代わりに光ディスクや光磁気ディスク、ハードディスクドライブ、ホログラムメモリなどのほかの記録媒体を用いた撮像装置に用いてもよいのは勿論である。
【００３７】
本発明の撮像装置用ケースは、上述例に限ることなく本発明の要旨を逸脱することなく、その他種々の構成をとり得ることは勿論である。
【図面の簡単な説明】
【００３８】
【図１】本発明の一実施の形態の例による撮像装置用クレイドルを示し、Ａは斜視図、Ｂは背面斜視図である。
【図２】本発明の一実施の形態の例による撮像装置用クレイドルへの撮像装置の装抜の説明に供し、Ａは装着、Ｂは取り出しの説明図である。
【図３】図１例の撮像装置用クレイドルに装着する撮像装置の斜視図である。
【図４】図１例の撮像装置用クレイドルに装着する撮像装置の背面斜視図である。
【図５】図１例の撮像装置用クレイドルに装着する撮像装置の底のバッテリ／メモリカバーの、Ａは開操作、Ｂは装着走査、Ｃは閉操作の説明図である。
【図６】本発明の一実施の形態の例による撮像装置の撮影状態を示す説明図である。
【図７】本発明の一実施の形態の例による撮像装置用クレイドルでカメラストッパーの、Ａは装着、Ｂは取り出しの説明図である。
【図８】本発明の一実施の形態の他の例による撮像装置用クレイドルと、ほかの組み合わせ部材の例を示す斜視図である。
【図９】図８例の撮像装置用クレイドルにデジタルスチルカメラなどを組み込んだ、Ａは平面図、Ｂは正面図、Ｃは側面図である。
【図１０】図９例の撮像装置用クレイドルにコンバージョンレンズを装着し、三脚に取り付けた状態の説明図である。
【符号の説明】
【００３９】
２０…デジタルスチルカメラ、３０…クレイドル、３１…カメラストッパー
【図１】
2006058687.tif 000003
【図２】
2006058687.tif 000004
【図３】
2006058687.tif 000005
【図４】
2006058687.tif 000006
【図５】
2006058687.tif 000007
【図６】
2006058687.tif 000008
【図７】
2006058687.tif 000009
【図８】
2006058687.tif 000010
【図９】
2006058687.tif 000011
【図１０】
2006058687.tif 000012